(57)【特許請求の範囲】
【請求項１】
長手方向に貫通する貫通孔を有した中空のセラミックの棒状体よりなる日除け用建材において、該貫通孔内に長手方向に貫通する中空部が残留するように、且つ貫通孔内の最下部と接するように、当該最下部に隣接する面に長手方向に連続したゴム又は軟質樹脂を設けたことを特徴とする日除け用建材。
【請求項２】
請求項１において、該棒状体は、長手方向と垂直な断面形状が略平行四辺形であることを特徴とする日除け用建材。
【請求項３】
請求項１又は２において、該棒状体の外面に、該棒状体の長手方向に連続したゴム又は樹脂の帯状のライニング層が設けられていることを特徴とする日除け用建材。
【請求項４】
外面がセラミックで仕上げられた建物であって、窓を有する建物において、
該窓の外面に沿って請求項１ないし３の日除け用建材が設けられていることを特徴とする建物。
【請求項５】
請求項４において、該日除け用建材のセラミックと該建物外面のセラミックとが同素材よりなることを特徴とする建物。
【発明の詳細な説明】
【０００１】
【発明の属する技術分野】
本発明は、窓に設けられる日除け用建材に関するものである。
【０００２】
【従来の技術】
従来、窓の日除けのためには布製のカーテンやプラスチック製のブラインド、竹製のすだれ等が用いられている。
【０００３】
【発明が解決しようとする課題】
これらの従来の日除けは、いずれも長期の耐久性に乏しく、数年ないし１０年程度しか使うことができず、また、屋外に使用することもできない。
【０００４】
本発明は、堅牢で耐久性が良い日除け用建材を提供することを目的とする。
【０００５】
また、本発明は、この日除け用建材を備えた建物を提供することを目的とする。
【０００６】
【課題を解決するための手段】
本発明の日除け用建材は、長手方向に貫通する貫通孔を有した中空のセラミックの棒状体よりなる日除け用建材において、該貫通孔内に長手方向に貫通する中空部が残留するように、且つ貫通孔内の最下部と接するように、当該最下部に隣接する面に長手方向に連続したゴム又は軟質樹脂を設けたことを特徴とするものである。
【０００７】
かかる日除け用建材は、セラミックよりなるため、堅牢で耐久性に優れる。
【０００８】
本発明の日除け用建材は、長手方向に貫通する貫通孔を有した棒状体よりなる。即ち、セラミックは日射を受けて昇温すると遠赤外線を発する性質を有する。このため、日除け用建材が過度に昇温すると、日除け用建材から室内に遠赤外線が照射されることになり、室内居住者が暑さを感取するおそれがある。
【０００９】
日除け用建材が中空であると、該日除け用建材の室外側が日射を受けて昇温しても、この熱が日除け用建材の室内側に伝わりにくく、日除け用建材から室内に向かって遠赤外線は殆ど照射されないようになる。
【００１０】
また、日除け用建材が中空であると、その分だけ日除け用建材の重量が軽減される。
【００１１】
この日除け用建材は、長手方向と垂直な断面形状が略平行四辺形であってもよい。この断面形状の日除け用建材は、日光の直射を遮る効果が高い。また、断面が点対称形状となるので、セラミック製棒状体の焼成工程における焼成収縮による変形が少なく、製造歩留まりが高い。
【００１２】
なお、上記の貫通孔内に、長手方向に連続したゴム又は軟質樹脂を設けている。かかるゴム又は軟質樹脂を設けると、貫通孔内で水が凍結して体積膨張したときに、この膨張を吸収し、日除け用建材の割れを防止することができる。なお、この長手方向に連続したゴム又は軟質樹脂の引張強度が高い場合、日除け用建材が割れたときの落下を防止する機能を発揮する。
【００１３】
日除け用建材が割れたときの落下を防止するためには、棒状体の外面に、長手方向に連続した帯状のゴム又は樹脂のライニング層を設けてもよい。
【００１４】
本発明の日除け用建材は、タイル等のセラミックによって外面が仕上げられた建物の窓の外面に沿って設けられるのが好ましく、特に、水平に且つ上下多段に、あるいは鉛直に複数本平行に設けられるのが好ましい。このように日除け用建材を設けることにより、日射を遮ることができる。また、日除け用建材のセラミックと建物外面のセラミックとを同素材よりなるものとすることにより、建物外面の意匠上のまとまり感を高めることができる。
【００１５】
【発明の実施の形態】
以下、図面を参照して実施の形態について説明する。図１は実施の形態に係る日除け用建材の断面図であり、図２のＩ−Ｉ線に沿う断面を示している。図２は、この日除け用建材を窓の外面に上下多段に設置した建物の窓の斜視図である。
【００１６】
この日除け用建材１は、セラミックの棒状体よりなる。この実施の形態では、日除け用建材１は、棒状体の長手方向に貫通する貫通孔２，３，４を備えており、また長手方向と垂直な断面が平行四辺形となっている。即ち、この日除け用建材の外面は１対の平行面１ａ，１ｃと１対の平行面１ｂ，１ｄとを有する。この日除け用建材１は、面１ａ，１ｃが略水平となるように配置され、且つ建物の外側を向いた面１ｄが建物の外方に向かって下り勾配となる斜面に構成されている。
【００１７】
平行面１ａ，１ｃ間の距離ｄ１は５〜１０ｃｍ程度が好適であり、平行面１ｂ、１ｄ間の距離ｄ２は３〜８ｃｍ程度が好適である。日除け用建材１同士の間隔Ｓは、上記の距離ｄ１の０．５〜１．５倍程度であることが好ましい。日除け用建材１の長さは６０〜１８０ｃｍ程度が好ましい。外側の面１ｄと底面１ｃとの交叉角度αは２５〜４５°程度が好適である。
【００１８】
この日除け用建材１は、タイルと同様の原料を用いて押出成形した後、必要に応じ施釉し、焼成することにより製造される。
【００１９】
この日除け用建材１が平行四辺形や方形など長手方向と垂直断面が点対称形状であると、押出成形時に成形物が真直ぐに押し出されるようになると共に、焼成時に反ることが防止され、寸法精度、形状精度の良い日除け用建材を高歩留まりにて製造することができる。
【００２０】
図２の通り、この日除け用建材１は、建物５の窓６に水平に且つ上下に多段に配置されている。そして、上記の通り、面１ａ，１ｃが略水平となり、面１ｄが外向きとなるように設置される。
【００２１】
この建物５はタイル７にて外面が仕上げられており、日除け用建材１のセラミックはタイル７と同素材のものとなっている。このため、図２の如く、タイル５の外観上の質感が統一される。そして、日除け用建材１とタイル７とを同色とするならば、建物５の外面の色調も統一され、きわめて一体感の高い建物外観が構成される。
【００２２】
この日除け用建材１は、セラミックよりなるものであるから、堅牢で耐久性に優れる。また、中空であるから軽量であると共に、室内側への遠赤外線の放射が少ない。即ち、日光が日除け用建材１に当っても面１ｄ側のみが昇温し、貫通孔２，３，４によって面１ｄから隔てられた面１ｂ側は殆ど熱くならないので、面１ｂから室内への遠赤外線放射もきわめて少ない。
【００２３】
この窓６にあっては、直射日光が日除け用建材１によって遮られる。この日除け用建材１は、奥行き方向にある程度大きな厚みを有しているため、日除け用建材１同士の間隔Ｓを大きくしても直射日光の遮蔽率が高い。即ち、仮に面１ｄと同じ大きさの薄プラスチック板よりなる水平ブラインドの場合であれば、図１の仰角θ１にまで陽が傾くと、日光が間隔Ｓを通って室内に差し込むことになるが、この日除け用建材１の場合、奥行きがあるので、θ１よりも遥かに小さい仰角θ２になるまで直射日光を遮ることができる。また、換言するならば、同じ直射日光遮蔽率とする場合、この日除け用建材１を用いると薄プラスチック板よりなる水平ブラインドに比べて上下間隔Ｓを大きくとることができ、窓６の風通しが良くなる。
【００２４】
上記図１，２の実施の形態にあっては、日除け用建材１は略平行四辺形の断面形状となっているが、図３〜６の如く正方形又は長方形の断面形状であってもよい。また、貫通孔の形状も図３〜６の如く各種のものとすることができる。
【００２５】
図３の日除け用建材１０は、長方形断面形状であり、２個の方形断面形状の貫通孔１１を有する。図４の日除け用建材１２は、長方形断面形状であり、３個の三角形断面形状の貫通孔１３を有する。
【００２６】
図５の日除け用建材１４は、長方形断面形状であり、２個の方形断面形状の貫通孔１５を有する。この正方形断面形状の貫通孔１５は、この正方形の対角線方向が日除け用建材１４の外面と平行方向となるように設けられている。
【００２７】
図６の日除け用建材１６は、比較的正方形に近い長方形断面形状のものであり、１個の長方形断面形状の貫通孔１７を有する。
【００２８】
貫通孔１７内に水が入り込んで凍結した場合、体積膨張により日除け用建材が割れるおそれがある。そこで、図７の日除け用建材１６A〜１６Dのように、貫通孔１７の内面にゴム又は軟質樹脂を日除け用建材の長手方向に連続するように設け、水の凍結時の体積膨張を吸収し、日除け用建材の割れを防止する。図７（ａ）の日除け用建材１６Ａでは、貫通孔１７の一方の側面にライニング層１８が設けられ、図７（ｂ）の日除け用建材１６Bでは貫通孔１７の双方の側面にライニング層１８が設けられている。図７（ｃ）の日除け用建材１６Cでは双方の側面と底面とにライニング層１８が設けられ、図７（ｄ）の日除け用建材１６Dでは貫通孔１７の内周面の全体にライニング層１８が設けられている。これらの日除け用建材１７Ａ〜１７Ｄのライニング層１８は、貫通孔１７内において水が凍結し、日除け用建材１６Ａ〜１６Ｄを側方向に押し広げるように凍結氷圧が作用した際に、この圧力を吸収し、日除け用建材１６Ａ〜１６Ｄの割れを防止する。
【００２９】
なお、図７（ｅ）の日除け用建材１６Ｅのように、貫通孔１７の底面にのみライニング層１８を設けた場合、日除け用建材１６Ｅを側方向に押し広げようとする圧力を吸収する効果は図７（ａ）〜（ｄ）の場合に比べると小さい。
【００３０】
なお、これらのライニング層１８が十分な引張強度を有している場合には、日除け用建材が割れたときの落下防止を図ることができる。
【００３１】
本発明では、日除け用建材の両端に取付ボルトの挿通用の孔や切欠部を設けても良い。
【００３２】
【発明の効果】
以上の通り、本発明によると、堅牢で耐久性の良い日除け用建材と、この日除け用建材を備えた建物が提供される。この日除け用建材と同素材のタイル等のセラミックで建物外面を仕上げることにより、意匠上のまとまりが良い建物となる。
【図面の簡単な説明】
【図１】  実施の形態に係る日除け用建材の断面図である。
【図２】  図１の日除け用建材を備えた窓の斜視図である。
【図３】  別の実施の形態に係る日除け用建材の斜視図である。
【図４】  さらに別の実施の形態に係る日除け用建材の斜視図である。
【図５】  （ａ）図は別の実施の形態に係る日除け用建材の斜視図、（ｂ）図は（ａ）図の建材の長手方向と垂直な断面図である。
【図６】  異なる実施の形態に係る日除け用建材の斜視図である。
【図７】  （ａ）〜（ｄ）は異なる実施の形態に係る日除け用建材の断面図であり、（ｅ）は参考例に係る日除け用建材の断面図である。
【符号の説明】
１，１０，１２，１４，１６，１６Ａ〜１６Ｅ  日除け用建材
２，３，４，１１，１３，１５，１７  貫通孔
５  建物
６  窓
７  タイル
１８  ライニング層
【図１】
0003678153.tif 000002
【図２】
0003678153.tif 000003
【図３】
0003678153.tif 000004
【図４】
0003678153.tif 000005
【図５】
0003678153.tif 000006
【図６】
0003678153.tif 000007
【図７】
0003678153.tif 000008